(57)【要約】【課題】沸上げ後または冷却後の不要な適温維持時間帯を極力持たない経済性に優れた飲料抽出装置を提供することを目的とする。飲料抽出装置を提供する。【解決手段】使用時刻設定手段１６により使用時刻が設定されると、使用時刻から沸上時間テーブル記憶部１９または冷却時間テーブル記憶部２０の最大沸上時間または最大冷却時間を演算部２１により減算した最大通電時間を算出するとともに、現在時間が前記最大通電時間に達したら水温検知手段１７から現在の水温情報を検出し、この現在の水温情報から前記沸上時間テーブル記憶部１９または冷却時間テーブル記憶部２０に記憶された沸上時間または冷却時間に置換部２３により置換えて第１の置換時間とし、さらに、使用時刻から前記置換時間を演算部２１により減算し置換部２３により置換えて第２の置換時間とし、現在時刻が前記第２の置換時間と一致したか否かを比較部２２により判断し、一致したら沸上または冷却を開始する。【選択図】　　　　　図４
2004123204.tif 000002
【特許請求の範囲】
【請求項１】
タンク内の水を冷却させる冷凍サイクルまたはタンク内の水を加熱するヒータと、タンク内の水温を検知する水温検知手段と、使用時刻を設定する使用時刻設定手段と、予め制御装置に記憶され水温に対する沸上時間または冷却時間を記憶する沸上時間テーブル記憶部または冷却時間テーブル記憶部と、置換部、演算部、比較部およびタイマ部を有する制御装置とを備え、前記使用時刻設定手段により使用時刻が設定されると、使用時刻から沸上時間テーブル記憶部または冷却時間テーブル記憶部の最大沸上時間または最大冷却時間を演算部により減算した最大通電時間を算出するとともに、現在時間が前記最大通電時間に達したら水温検知手段から現在の水温情報を検出し、この現在の水温情報から前記沸上時間テーブル記憶部または冷却時間テーブル記憶部に記憶された沸上時間または冷却時間に置換部により置換えて第１の置換時間とし、さらに、使用時刻から前記置換時間を演算部により減算して第２の置換時間とし、現在時刻が前記第２の置換時間と一致したか否かを比較部により比較し、一致したら沸上または冷却を開始するようにしたことを特徴とする飲料抽出装置。
【請求項２】
タンク内の水を冷却させる冷凍サイクルまたはタンク内の水を加熱するヒータと、タンク内の水温を検知する水温検知手段と、使用時刻を設定する使用時刻設定手段と、記憶部、演算部、比較部およびタイマ部を有する制御装置とを備え、初回水温と初回沸上時間または初回冷却時間を記憶部に記憶した第１の記憶データと、使用者設定の使用開始時刻から初回沸上時間または冷却時間を演算部により減算した沸上開始時刻または冷却開始時刻と水温を記憶部に記憶した第２の記憶データと、使用開始時刻から前記第１の記憶データと第２の記憶データの沸上時間または冷却時間のうち時間の掛かったいずれか一方の記憶データの沸上時間または冷却時間を演算部により減算して得られた沸上時間または冷却時間と水温を記憶部に記憶した第３の記憶データと、これら第１乃至第３の記憶データの繰り返処理により得られた沸上時間または冷却時間と水温を記憶部に記憶した第４の記憶データと、この第４の記憶データの沸上時間または冷却時間と水温より一番かけ離れた記憶データを削除して新たな記憶データとして記憶部に書換え記憶し、常に最新の水温情報と沸上時間または冷却時間により沸上げまたは冷却の開始時刻を制御するようにしたことを特徴とする飲料抽出装置。
【発明の詳細な説明】
【０００１】
本発明は、使用者の指定した使用時刻に合わせて沸上げまたは冷却が可能になる飲料抽出装置に関する。
【０００２】
【従来技術】
従来、冷温水機等の飲料抽出装置は、タンク内の温水を沸かすための加熱用ヒータと、タンク内の水を冷水にするための冷凍サイクルが内蔵されており、冷水または温水が貯えられ、コックから冷水または温水を飲みたい時に適温が抽出されるようになっている。そして、このような冷温水機等の飲料抽出装置は、使用者が指定した時刻に適温を抽出されるようにするために、使用者が沸上開始時刻または冷却開始時刻を大幅に逆算して開始させ、沸上げ後または冷却後はヒータまたは冷凍サイクルをオンオフ制御して冷水または温水を飲みたい時に必ず適温を抽出するようにしていた。
【０００３】
【発明が解決しようとする課題】
しかし、このように、使用者が沸上開始時刻または冷却開始時刻を大幅に逆算して開始させるようにすると、使用者の指定した時刻以前に沸上げまたは冷却がなされ、その後、適温維持のための不要な時間帯を持つことになり無駄な電力を消費してしまう問題がある。
【０００４】
本発明は、このような点に鑑みなされたもので、沸上げ後または冷却後の不要な適温維持時間帯を極力持たない経済性に優れた飲料抽出装置を提供することを目的とする。
【０００５】
【課題を解決するための手段】
請求項１記載の飲料抽出装置は、タンク内の水を冷却させる冷凍サイクルまたはタンク内の水を加熱するヒータと、タンク内の水温を検知する水温検知手段と、使用時刻を設定する使用時刻設定手段と、予め制御装置に記憶され水温に対する沸上時間または冷却時間を記憶する沸上時間テーブル記憶部または冷却時間テーブル記憶部と、置換部、演算部、比較部およびタイマ部を有する制御装置とを備え、前記使用時刻設定手段により使用時刻が設定されると、使用時刻から沸上時間テーブル記憶手段または冷却時間テーブル記憶手段の最大沸上時間または最大冷却時間を演算部により減算した最大通電時間を算出するとともに、現在時間が前記最大通電時間に達したら水温検知手段から現在の水温情報を検出し、この現在の水温情報から前記沸上時間テーブル記憶部または冷却時間テーブル記憶部に記憶された沸上時間または冷却時間に置換部により置換えて第１の置換時間とし、さらに、使用時刻から前記置換時間を演算部により減算して第２の置換時間とし、現在時刻が前記第２の置換時間と一致したか否かを比較部により比較し、一致したら沸上または冷却を開始するようにしたものである。
【０００６】
そして、この構成により、現在の水温情報から得られた沸上または冷却開始時刻により沸上または冷却が開始され、使用者が指定した時刻に近づけて沸上または冷却が終了するため、適温維持のための無駄な電力を消費することがなく経済性が向上する。
【０００７】
請求項２記載の飲料抽出装置は、タンク内の水を冷却させる冷凍サイクルまたはタンク内の水を加熱するヒータと、タンク内の水温を検知する水温検知手段と、使用時刻を設定する使用時刻設定手段と、記憶部、演算部、比較部およびタイマ部を有する制御装置とを備え、初回水温と初回沸上時間または初回冷却時間を記憶部に記憶した第１の記憶データと、使用者設定の使用開始時刻から初回沸上時間または冷却時間を演算部により減算した沸上開始時刻または冷却開始時刻と水温を記憶手段に記憶した第２の記憶データと、使用開始時刻から前記第１の記憶データと第２の記憶データの沸上時間または冷却時間のうち時間の掛かったいずれか一方の記憶データの沸上時間または冷却時間を演算部により減算して得られた沸上時間または冷却時間と水温を記憶部に記憶した第３の記憶データと、これら第１乃至第３の記憶データの繰り返処理により得られた沸上時間または冷却時間と水温を記憶部に記憶した第４の記憶データと、この第４の記憶データの沸上時間または冷却時間と水温より一番かけ離れた記憶データを削除して新たな記憶データとして記憶部に書換え記憶し、常に最新の水温情報と沸上時間または冷却時間により沸上げまたは冷却の開始時刻を制御するようにしたものである。
【０００８】
そして、この構成により、常に最新の水温情報による最適沸上時間または冷却時間が得られ、使用者が指定した時刻に合わせて沸上または冷却が終了するため、適温維持のための無駄な電力を消費することがなく経済的である。
【０００９】
【発明の実施の形態】
以下、本発明の一実施の形態を図面を参照して説明する。
【００１０】
【実施例】
図１は冷温水機等の飲料抽出装置の断面図を示し、１は冷温水機等の飲料抽出機本体で、この飲料抽出機本体１の内部は、上部のタンク室２と下部の冷凍サイクル室３とに区画形成されている。タンク室２には、飲料水が満たされるタンク４が保温用の断熱材５を介して収容されており、このタンク４の底部には加熱用のヒータ６が取り付けられている。また、このタンク４の正面には蛇口７が取り付けられ、この蛇口７のハンドル８を押し下げることで冷水または温水が取出せるようになっている。蛇口７の下方には、排水タンク９が設けられ、この排水タンク９にコップ等から漏れた水を排水タンク９内に溜めるようになっている。
【００１１】
次に、冷凍サイクル室３には、圧縮機１０、送風機１１、蒸発器１２が配設されている。前記圧縮機１０と、蒸発器１２と前記タンク４の下部周囲に巻装された冷却パイプ１３とにより冷凍サイクル１４が形成され、この冷凍サイクル１４の運転により、タンク４内の水は冷却される。また、本体１の前面には冷水／温水の切換手段としての切換スイッチ１５と使用者が指定する使用時刻設定手段１６とが設けられ、この切換スイッチ１５の操作により選択的に圧縮機１０、ヒータ６が運転されるとともに、使用時刻設定手段１６により使用時刻が設定されるようになっている。また、１７はタンク４の底部に配置された水温検出手段としの水温検出器で、この水温検出器１７はタンク４内の水温情報を後述する制御装置１８に送信するようになっている。制御装置１８は本体１表面の切換スイッチ１５の裏面に設けられ後述する各種制御手段を有している。
【００１２】
次に、図２により本実施例の制御ブロック図について説明する。
【００１３】
１８は制御装置で、この制御装置１８の入力側には冷水／温水を切り換える冷水／温水切換手段１５と、使用時刻設定手段１６と、サーミスタ等の水温検知手段１７とが接続されている。また、制御装置１８の出力側にはヒータ６と冷凍サイクル１４とが接続されている。そして、制御装置１８は、図３に示されるように例えば７リットルの水を９０℃に沸上げる場合の水温に対する沸上時間を記憶した沸上時間テーブル記憶部１９および、例えば５リットルの水を０℃に冷却する場合の水温に対する冷却時間を記憶した冷却時間テーブル記憶部２０、演算部２１、比較部２２、置換部２３およびタイマ部２４とを備えている。
【００１４】
そして、制御装置１８は、使用者から選択された冷水／温水切換手段１５からの情報を入力し、ヒータ６または冷凍サイクル１４を運転する機能、使用者から使用時刻設定手段１６を介して入力された使用時刻をタイマ部２３に指令する機能、水温検知手段１７から検知された現在の水温情報に基づいて沸上時間テーブル記憶部１９または冷却時間テーブル記憶部２０から沸上時間または冷却時間に置き換える機能、現在時刻と沸上開始時刻または冷却開始時刻とを比較して現在時刻と沸上開始時刻または冷却開始時刻が一致したか否かを比較する機能等を有している。
【００１５】
次に、第１の実施形態の飲料抽出装置の沸上げまたは冷却作用について図４のフローチャートにより説明する。
【００１６】
使用者により冷水または温水が冷水／温水切換手段１５により選択（ステップ１）されるとともに使用時刻が使用時刻設定手段１６により設定（ステップ２）されると、制御装置１８はヒータ６または冷凍サイクル１４を使用しない時刻に入りオフ制御を開始しタンク４内の水の沸上げまたは冷却が停止（ステップ３）される。次に制御装置１８は使用時刻から沸上時間テーブル記憶部１９または冷却時間テーブル記憶部２０に記憶された最大沸上時間（水温１℃の時の沸上時間４８分）または最大冷却時間（水温３５℃の時の冷却時間１６０分）を演算部２１により減算して最大通電時間Ｘ時Ｙ分を算出し（ステップ４）仮の沸上開始時刻または冷却開始時刻とする。
【００１７】
次に現在時刻が仮の沸上開始時刻または冷却開始時刻Ｘ時Ｙ分に到達したか否かをタイマ部２４により監視する（ステップ５）。仮の沸上開始時刻または冷却開始時刻Ｘ時Ｙ分に到達していなければステップ５に戻り現在時刻が仮の沸上開始時刻または冷却開始時刻Ｘ時Ｙ分に到達したかをタイマ部２４により継続監視する。そして、仮の沸上開始時刻または冷却開始時刻Ｘ時Ｙ分に到達していれば現在の水温情報を水温検知手段１７から制御装置１８に取り込む（ステップ６）。
【００１８】
次に、現在の水温情報から沸上時間テーブル記憶部１９または冷却時間テーブル記憶部２０に記憶された沸上時間または冷却時間にデータを書き換えＡデータ（第１の置換時間）とする（ステップ７）。次に、使用時刻からＡデータを減算し沸上開始時刻または冷却開始時刻をＢデータ（第２の置換時間）として書き換える（ステップ８）。そして、現在時刻とＢデータとを比較部２２により比較し（ステップ９）、現在時刻とＢデータとが一致しなければ例えば１分後にステップ６に戻りステップ６からステップ９を繰り返し行う。
【００１９】
そして、現在時刻とＢデータとが一致したら制御装置１８より沸上開始信号または冷却開始信号をヒータ６または冷凍サイクル１４に出力し（ステップ１０）タンク４内の水の沸上または冷却を開始する（ステップ１１）。そして、沸上または冷却時間が経過するとヒータ６または冷凍サイクル１４の運転を停止（ステップ１２）して冷水機または温水機としての飲料の抽出に備えられる。
【００２０】
上述した本実施例について、例えば水温２０℃で朝８時００分に使用開始時刻と設定した場合の沸上開始時刻を算出して見みると、先ず、使用時刻朝８時００分から沸上時間テーブル記憶部１９の水温１℃の最大沸上げ時間４８分が演算部２１により減算されて、朝７時１２分が仮の沸上開始時刻として算出される。次に、現在時刻が朝７時１２分に達したかタイマ部２４により監視し、現在時刻に達したら現在の水温２０℃を検出する。そして、現在の水温２０℃から沸上時間テーブル記憶部１９の沸上時間３６分を選択し、この沸上時間３６分をＡデータとして置換部２３により置き換える。そして、使用時刻朝８時００分から沸上時間３６分を演算手段２１により減算して沸上開始時刻朝７時２４分をＢデータとする。そして、現在時刻とＢデータとを比較部２２により比較し、現在時刻とＢデータとが一致しなければ例えば１分後にステップ６に戻りステップ６からステップ９を繰り返し行う。そして、現在時刻時刻朝８時００分とＢデータ朝７時２４分とが比較手段２２により一致したら沸上げを開始し、使用開始時刻朝８時００分に沸上げられる。
【００２１】
以上のように、使用者が使用する時刻に適温の温水また冷水が沸上げまたは冷却されて抽出されるように、沸上げまたは冷却が開始されるため、沸上げまたは冷却後の適温維持時間帯がなく適温維持のための電力を消費することなく経済的な飲料抽出装置を提供することができる。
【００２２】
次に、飲料抽出装置の第２の実施形態のブロック図を図５により説明する。なお、構成図は第１の実施形態と同一のため省略する。
【００２３】
第２の実施形態の飲料抽出装置は制御装置１８において、第１の実施形態の沸上時間テーブル記憶部１９および冷却時間テーブル記憶部２０および置換部２３を有していない構成に相当する。なお、第１の実施形態と同一構成については同一符号を用いてその説明は省略する。
【００２４】
制御装置１８の記憶部２５は、演算部２１により得られた沸上時間および冷却時間を記憶する機能を有している。
【００２５】
次に、第２の実施形態の飲料抽出装置の沸上げまたは冷却作用について図６乃至図７のフローチャートにより説明する。
【００２６】
使用者により冷水または温水が冷水／温水切換手段１５により選択（ステップ２１）され、初回沸上げまたは冷却が開始（ステップ２２）される。そして、初回沸上げまたは初回冷却が終了（ステップ２３）すれば初回沸上げまたは初回冷却時の初回水温と初回沸上時間または初回冷却時間を記憶部２５に記憶しＡデータ（第１の記憶データ）（ステップ２４）とする。次に、使用者設定の沸上げまたは冷却停止時刻と沸上げまたは冷却開始時刻を設定し、記憶部２５に記憶（ステップ２５）させる。そして、沸上停止または冷却停止時刻と現在時刻が一致したか（ステップ２６）タイマ部２４により監視し、比較部２２で比較し一致したら沸上げ停止または冷却停止（ステップ２７）する。
【００２７】
次に、使用者が設定した使用開始時刻から初回沸上時間または初回冷却時間を演算部２１で減じた時間と、沸上開始時刻または冷却開始時刻と現在時刻が一致（ステップ２８）したら沸上げまたは冷却開始し、この時の水温を記憶部２５に記憶（ステップ２９）する。そして、時間が経過し沸上げまたは冷却が終了（ステップ３０）する。そして、沸上開始時または冷却開始時の水温と沸上時間または冷却時間を記憶部２５に記憶しＢデータ（第２の記憶データ）（ステップ３１）とする。
【００２８】
次に、翌日（次回）使用者が設定した沸上停止時刻または冷却停止時刻に入り沸上開始時刻または冷却開始時刻と現在時刻が一致したかタイマ部２４で監視するとともに比較部２２により比較（ステップ３２）し、一致したら沸上げまたは冷却を停止（ステップ３３）する。そして、制御装置１８はＡ、Ｂデータの内どちらが時間が掛かったかを検索し例えばＡデータとする。そして、使用開始時刻（沸上または冷却終了時刻）からＡデータを演算部２１により減算した値から沸上開始時刻または冷却開始時刻を算出（ステップ３５）する。そして、現在時刻と沸上開始時刻または冷却開始時刻が一致したかタイマ部２４で監視するとともに比較部２２により比較（ステップ３６）する。そして、一致したら現在の水温を水温検知手段１７により（ステップ３７）検知する。
【００２９】
次に、検知した水温がＡ、Ｂデータのどちらの水温に近いか検索し例えばＢデータ（ステップ３８）とする。そして、使用者設定使用開始時刻からＢデータの沸上時間または冷却時間を演算部２１により減算し、その値から沸上または冷却開始時刻を算出しＣデータ（ステップ３９）とする。そして、現在時刻とＣデータの沸上または冷却開始時刻が一致したかタイマ部２４で監視するとともに比較部２２により比較（ステップ４０）する。一致していなければ例えば１分おきにステップ３７に戻り再度水温を水温検知手段１７により検知してＣデータを更新する。そして、現在時刻とＣデータが一致したら沸上開始または冷却開始し開始時の水温を記憶部２５に記憶（ステップ４１）させる。そして、沸上または冷却時間が経過したら沸上または冷却を終了（ステップ４２）させる。そして、沸上開始時または冷却開始時の水温と沸上時間または冷却時間をＤデータ（第３の記憶データ）として記憶部２５に記憶（ステップ４３）させる。これで、記憶部２５に記憶されたデータはＡ、Ｂ、Ｃの３つデータを持つことになる。
【００３０】
次に、翌々日使用者が設定した沸上停止または冷却停止時刻に入り沸上または冷却停止となる。そして、Ａ、Ｂ、Ｃ３データでステップ３２〜ステップ４３の処理（ステップ４４）を行う。そして、ステップ４３の処理まて進むと、沸上開始時または冷却開始時の水温と沸上時間または冷却時間を記憶部２５に記憶しＥデータ（ステップ４５）とする。そして、記憶データはＡ、Ｂ、Ｄ、Ｅの４つの記憶データとして記憶部２５に記憶されるが、最新データＥの沸上時間または冷却時間または、水温より一番かけ離れたデータを検索（ステップ４６）し、例えばＡデータを検索し、Ａデータの内容は削除され、Ｅデータの内容が上書きされ新たに、ＡデータとなりＡ、Ｂ、Ｄの３データ（ステップ４７）とする。そして、記憶部２５にＡ、Ｂ、Ｄ３データを記憶（ステップ４８）する。
【００３１】
そして、翌々日以降ステップ４４に戻りステップ４４から同じ処理を繰り返し常に最新の沸上時間または冷却時間または、水温によりデータを更新し、使用者が設定した使用開始時刻に沸上または冷却が終了するように沸上または冷却開始させ、沸上または冷却が終了の適温維持のための時間帯を極力持たないようにする。
【００３２】
なお、第２の実施形態では３つの記憶データで処理しているがデータ数を増やして処理するようにしてもよい。このように、データ数を増やすと更に無駄な適温維持時間帯を少なくすることができる。
【００３３】
【発明の効果】
請求項１記載の飲料抽出装置によれば、現在の水温情報から得られた沸上または冷却開始時刻により沸上または冷却が開始され、使用者が指定した時刻に近づけて沸上または冷却が終了するため、適温維持のための無駄な電力を消費することがなく経済性が向上する。
【００３４】
請求項２記載の飲料抽出装置よれば、常に最新の水温情報による最適沸上時間または冷却時間が得られ、使用者が指定した時刻に合わせて沸上または冷却が終了するため、適温維持のための無駄な電力を消費することがなく経済的が向上する
【図面の簡単な説明】
【図１】本発明の一実施形態を示す飲料抽出装置の構成を説明する説明図である。
【図２】同上、飲料抽出装置のブロック図である。
【図３】同上、飲料抽出装置のタンク内水温に対する沸上時間テーブルおよび冷却時間テーブルである。
【図４】同上、飲料抽出装置の沸上または冷却作用を説明するフローチャートである。
【図５】同上、第２の飲料抽出装置のブロック図である。
【図６】同上、第２の実施例の沸上または冷却作用を説明するフローチャートである。
【図７】同上、第２の実施例の沸上または冷却作用を説明するフローチャートである。
【符号の説明】
１　本体
４　タンク
６　ヒータ
１０　圧縮機
１１　送風機
１２　蒸発器
１４　冷凍サイクル
１５　冷水／温水切換手段
１６　使用時刻設定手段
１７　水温検知手段
１８　制御装置
１９　沸上時間テーブル記憶部
２０　冷却時間テーブル記憶部
２１　演算部
２２　比較部
２３　置換部
２４　タイマ部
２５　記憶部
【図１】
2004123204.tif 000003
【図２】
2004123204.tif 000004
【図３】
2004123204.tif 000005
【図４】
2004123204.tif 000006
【図５】
2004123204.tif 000007
【図６】
2004123204.tif 000008
【図７】
2004123204.tif 000009